(57)【要約】      （修正有）【課題】発光しながら回転するさまを楽しませる演出ができ、ディスプレーとして利用でき、且つ照明効果も発揮され、維持管理の経費が殆ど不要で、組立てが容易な自己発電で発光する観賞用カザグルマを提供する。【解決手段】回転自在で透明な中空軸１１の外周にペーパークラフトの羽根１２を複数枚取付けた風車体１と、中空軸１１と連結させる小型モーター２と、中空軸１１に内蔵したＬＥＤ光源３１を少なくとも有した発光体３と、から少なくとも構成する。また前記発光体３として、発光するＬＥＤ光源３１と、該ＬＥＤ光源３１の前方に配置する透明な合成樹脂線材３２とから成し且つその合成樹脂線材３２の先端を中空軸１１から突出させると良い。【選択図】図１
0003159761.tif 000002
【実用新案登録請求の範囲】
【請求項１】
回転自在な中空軸（11）の外周に羽根（12）を複数枚取付けた風車体（１）と、前記中空軸（11）と連結させる小型モーター（２）と、前記中空軸（11）に内蔵したＬＥＤ光源（31）を少なくとも有する発光体（３）と、から少なくとも構成したことを特徴とする自己発電で発光する観賞用カザグルマ。
【請求項２】
前記発光体（３）が少なくとも、ＬＥＤ光源（31）と、該ＬＥＤ光源（31）の前方に配置する透明な合成樹脂線材（32）とから成され、その合成樹脂線材（32）の先端が、前記中空軸（11）から突出された請求項１記載の自己発電で発光する観賞用カザグルマ。
【請求項３】
前記合成樹脂線材（32）が複数本の光ファイバーであり、１本の合成樹脂線材（32）の先端が、前記中空軸（11）から突出され、他の合成樹脂線材（32）の先端が、前記羽根（12）の表面から突出された請求項２記載の自己発電で発光する観賞用カザグルマ。
【請求項４】
前記中空軸（11）が透明である請求項１、２又は３記載の自己発電で発光する観賞用カザグルマ。
【請求項５】
前記羽根（12）がペーパークラフトである請求項１記載の自己発電で発光する観賞用カザグルマ。
【考案の詳細な説明】
【技術分野】
【０００１】
本考案は、子供にも簡単に作れる風車体の中空軸に発光体を内蔵し、小型モーターと中空軸を連結させて発光機能が得られる自己発電で発光する観賞用カザグルマに関する。
【背景技術】
【０００２】
従来、カザグルマは子供の玩具として走りながら回して遊ばれていた。また観賞用カザグルマとしては、土産用の民芸品として用いられたり、庭の土などに挿し、それが風で回転するのを観賞したりするものとして用いられていた。
【０００３】
尚、本考案に似たものとしては、カザグルマによって発光する灯火器が、特開２００６−３４１６３９の「自転車用灯火装置」に於いて開示されている。このカザグルマは、自転車の走り始めから安定して発光を得ると共に維持管理が掛らず且つ軽量小型で安価に提供することが目的である。又、その構造は、走行中に受ける風によって回転するプロペラを有する小型風車と、この小型風車の回転力を受けて発電する発電機と、この発電機で発電した電力を一時貯蔵するバッテリーと、このバッテリー或いは発電機からの電力によって発光する灯火器とを備え、灯火器はＬＥＤ発光素子を有したものである。
【０００４】
しかしながら特開２００６−３４１６３９のカザグルマは、自転車のヘッドライトなどの照明として用いるカザグルマであり、観賞用カザグルマではないため、本考案とは技術分野が異なる。又、前記羽根が合金製であり、本考案のように子供が簡単に作れるものと異なり、且つ、ペーパークラフトの羽根のようなものを用いることはないと共にペーパークラフトの羽根では自転車のヘッドライトなどを長期間に渡って安定した発光を得ることは不可能である。
【先行技術文献】
【特許文献】
【０００５】
【特許文献１】特開２００６−３４１６３９号公報
【考案の概要】
【考案が解決しようとする課題】
【０００６】
本考案はカザグルマが発光するにより、風を利用して回転するさまを楽しませる演出ができ、店舗や販売商品等を通行人に注意が喚起され、一段と強く通行人に印象付けて目立たせるものとなると共に、維持管理費が殆ど掛らず且つ軽量小型で安価なものとすることが可能となる自己発電で発光する観賞用カザグルマを提供することを目的とする。
【０００７】
本考案の他の目的は、組立てが容易で子供たちの興味を引付け、風力によって電気を起こることが学習でき且つエネルギーの重要性が認識されて、高い学習効果を得ることが出来ると共にディスプレーとして利用でき、更に照明効果も発揮される自己発電で発光する観賞用カザグルマを提供するにある。
【課題を解決するための手段】
【０００８】
本考案は上記現状に鑑み成されたものであり、つまり、回転自在な中空軸の外周に羽根を複数枚取付けた風車体と、中空軸と連結させる小型モーターと、中空軸に内蔵したＬＥＤ光源を少なくとも有する発光体と、から少なくとも構成する。また前記中空軸を透明にし、前記羽根をペーパークラフトで作ると良い。又、前記発光体として、発光するＬＥＤ光源と、該ＬＥＤ光源の前方に配置する透明な合成樹脂線材とから成し、その合成樹脂線材の先端を中空軸から突出させるのが好ましく、前記合成樹脂線材として複数本の光ファイバーを用い、１本の合成樹脂線材の先端を中空軸から突出し、他の合成樹脂線材の先端を各羽根の表面から突出させたものとしても良い。
【考案の効果】
【０００９】
請求項１のように回転自在な中空軸（11）の外周に羽根（12）を複数枚取付けた風車体（１）と、中空軸（11）と連結させる小型モーター（２）と、中空軸（11）に内蔵したＬＥＤ光源（31）を少なくとも有する発光体（３）と、から少なくとも構成することにより、身近な屋外に取付けておけば、気ままな風によって羽根（12）が回転されて発光体（３）を発光させることが出来るため、夜間には本考案品を美しく観賞出来るものとなる。また風車体（１）が発光されるにより、風を利用して回転するさまを楽しませる演出ができ、店舗や販売商品等の既存の支柱などに本考案品を取付けておけば、通行人に注意が喚起され、一段と強く通行人に印象付けて目立たせるものとなると共に、維持管理費が殆ど掛らず且つ軽量小型で安価なものとなる。従って、本考案品をポストや玄関或いは門柱等に取付けるだけで、自家発電が可能となり、維持管理の手間が殆ど掛からず、且つ、風力によって電気が発生することを子供に理解させて風力発電の原理を体得させることが出来るものとなると共に電気とエコロジーが身近に感じさせることも可能なものとなる。一方、街路にアーチを作り、多数の本考案品をそのアーチに配置して、風とカザグルマと光のアーケード街路となり、宣伝効果が大きく、且つ、照明効果も期待できるものとなり、更に維持管理費が殆ど掛らないものとなり、本考案品の増設も容易に行えるため、他の商店街と差別化出来るものとなる。
【００１０】
請求項２のように発光体（３）として、ＬＥＤ光源（31）と、該ＬＥＤ光源（31）の前方に配置する透明な合成樹脂線材（32）とから少なくとも成すと共に合成樹脂線材（32）の先端を中空軸（11）から突出させることにより、本考案品の中心が発光するため、観賞用カザグルマは夜でもきれいなものとなり、美感が向上すると共に本考案品をポストや玄関或いは門柱等に取付けておけば、風まかせの灯りとして使用すれば、意外性が生じ、且つ遊び心のあるものとなる。
【００１１】
請求項３に示すように合成樹脂線材（32）として複数本の光ファイバーを用い、１本の合成樹脂線材（32）の先端を中空軸（11）から突出させ、他の合成樹脂線材（32）の先端を羽根（12）の表面から突出させることにより、本考案品の中心が発光すると共に羽根（12）の回転により光の輪を描くため、観賞用カザグルマは夜でもきれいなものとなり、美麗さが引立ち、明るさも増すので、照明用としても使用可能なものとなる。また本考案品をポスト，門柱部分，クリスマスツリーや各種モニュメントに取付けると、本考案は発光軌跡がきれいで、意外性が付与できるものとなる。
【００１２】
請求項４に示すように中空軸（11）を透明することにより、風車体（１）全体が発光されるものとなるため、淡い照明効果が期待でき、且つ、従来にない斬新な観賞用カザグルマとなり、人目を引き、本考案品の汎用性が拡大するものとなる。
【００１３】
請求項５のように羽根（12）にペーパークラフトを用いることにより、風車体（１）の製作が子供にも簡単に出来るものとなるため、子供たち自身が本考案の観賞用カザグルマを作ることで、風力によって発光体（３）を発光させることが理解し易くなると共に子供たちの興味をより強く引付け、カザグルマと風による発電体験ができるので、風力で電気の起きることが学習でき且つ電気とエコロジーが身近に感じられるものとなり、高い学習効果を得ることが可能となる。更に安上がりのエコ発電の教材として使用できるものとなる。
【図面の簡単な説明】
【００１４】
【図１】本考案の実施形態の要部を示す断面図である。
【図２】本実施形態の発光体を示す説明図である。
【図３】本実施形態の別の発光体を示す説明図である。
【図４】本考案の全体要部を示す斜視図である。
【考案を実施するための形態】
【００１５】
本考案の実施形態を図１、図２に基づいて説明する。（１)は回転自在な中空軸（11）の外周に羽根（12）を複数枚取付けた合成樹脂製の風車体であり、該風車体（１）には、合成樹脂パイプの中空軸（11）と、該中空軸（11）に複数枚取付けた羽根（12）と、その羽根（12）の先端側を押えると共に中空軸（11）に取付けた押えキャップ（13）と、前記羽根（12）の後端側を押えると共に中空軸（11）に取付けた押え板（14）と押えリング（15）とがある。この風車体（１）の大きさは羽根（12）の大きさにより異なるが、中空軸（11）の長さとしては１０cm前後とするのが好ましく、その材質も合成樹脂以外に、透光性を有したものであれば良い。又、前記中空軸（11）は透明な合成樹脂パイプを用いるのが好ましいが、これに限定されるものではない。尚、前記中空軸（11）に導電性の材質を用いた場合には、ＡＢＳ樹脂などで被覆して絶縁性を有するものとしておく。前記羽根（12）としては、ビニールコーティングした防水用のペーパークラフトで製作するのが好ましいが、他の材質のシート状のものでも良く、子供が容易に取り扱えてカザグルマを製作することが出来るものであれば良い。
【００１６】
（２）は模型や玩具などに用いる小型直流用の小型モーターであり、該小型モーター（２）は、風車体（１）の回転力を受けて発電する発電機の役目を果す。また前記中空軸（11）は小型モーター（２）の回転軸（21）と連結させる。尚、前記発電用の小型モーター（２）と一緒に、図示しないバッテリーを設けておくと良い。又、前記小型モーター（２）には防水処理を施しておくのが好ましい。（３）は中空軸（11）の内部に設けた発光体であり、該発光体（３）には、発光するＬＥＤ光源（31）と、そのＬＥＤ光源（31）の前方に配置した１本の透明で軟質な合成樹脂線材（32）とから成されている。前記ＬＥＤ光源（31）はクリスマスツリーなどの電飾用に用いるものを使用する。また前記合成樹脂線材（32）の先端は、中空軸（11）から少し突出させておくと良く、その太さとしては、３mm前後のものを用いると良い。尚、前記合成樹脂としては、軟質スチロールを用いると良いが、これに限定されるものではない。又、前記合成樹脂線材（32）は支持部材（７）によって中空軸（11）の先端部で支持されている
【００１７】
（４）は風車体（１）の回転により小型モーター（２）を回転させて発電すると共に発光体（３）を発光するために配置した配線部材であり、該配線部材（４）には、中空軸（11）の内部の途中まで挿入して固定すると共に小型モーター（２）の回転軸（21）の外周を挿入し且つ合成樹脂製の絶縁パイプ（44）を介在させて前記小型モーター（２）に連結させた銅パイプ（41）と、該銅パイプ（41）に接触して固定させたプラス電極用ナット（42）と、前記回転軸（21）に接触して固定させたマイナス電極用ナット（43）と、該マイナス電極用ナット（43）とプラス電極用ナット（42）との間に取付けた合成樹脂製の絶縁用リング（45）と、前記ＬＥＤ光源（31）の端子へ銅パイプ（41）と回転軸（21）を配線すると共に小型モーター（２）の端子にプラス電極用ナット（42）とマイナス電極用ナット（43）を配線するための導線（46）とがある。尚、前記合成樹脂としては、軟質スチロールを用いると良いが、これに限定されるものではない。
【００１８】
（５）は本考案品を取付けるための取付部材であり、該取付部材（５）としては、図４に示すような小型モーター（２）の外周を押え、その両端をビスなどで固定するものとしても良いが、これに限定されるものではない。（６）は防水性や防塵性を付与するための透明な合成樹脂製のカバーであり、該カバー（６）は図４に示す２点鎖線のように取付けられる。
【００１９】
図３は本考案の他の実施形態の発光体（３）を示す図であり、これは前記実施形態と比べ、合成樹脂線材（32）が複数本の光ファイバーであり、前記合成樹脂線材（32）よりも細いものを使用し、その先端の１つは中空軸（11）の先端から若干突出され、他の合成樹脂線材（32）の先端は羽根（12）の表面から突出させたものである。前記合成樹脂線材（32）の太さとしては２mm前後のものを用いると良い。尚、前記合成樹脂としては、軟質スチロールを用いると良いが、これに限定されるものではない。
【００２０】
次に本考案品の作り方について説明する。所定形状に揃えた複数枚の羽根（12）と、中空軸（11）と、押えキャップ（13）と、押え板（14）と、押えリング（15）とを予め用意しておく。先ず子供たちに１セット分を渡し、カザグルマを作らす。この作り方はいろいろあるが、例えば、先ず始めに中空軸（11）の一端に押え板（14）を挿入し、押えリング（15）を挿入し、その端面を中空軸（11）の端面と揃えておく。その後、押え板（14）を押えリング（15）側に寄せておく。そして、中空軸（11）の他端から羽根（12）を順に取付け、その上に押えキャップ（13）を中空軸（11）に挿入して羽根（12）の先端側を押圧する。更に羽根（12）の間隔を揃えてカザグルマの形状を整える。これで風車体（１）は完成する。ここまでの作業は従来の玩具用カザグルマと同様の作業である。
【００２１】
次に風車体（１）を小型モーター（２）に連結すると共に中空軸（11）に発光体（３）を内蔵させる作業について説明する。先ず始めに、中空軸（11）に支持部材（７）を介して合成樹脂線材（32）を取付ける。次に回転軸（21）の基部にマイナス電極用ナット（43）を螺合或いは圧入して導通を確保しておく。又、銅パイプ（41）の内側に合成樹脂製の絶縁パイプ（44）を取付けると共に銅パイプ（41）の外周にはプラス電極用ナット（42）を螺合或いは圧入して適宜位置に取付けて導通を確保しておく。その後、銅パイプ（41）の外周の基部には端面を揃えて合成樹脂製の絶縁用リング（45）を取付けておく。次にＬＥＤ光源（31）のプラス端子は銅パイプ（41）に、マイナス端子は回転軸（21）の先端に、ハンダ付けなどによってそれぞれを接続しておく。接続後、絶縁パイプ（44）の内部に回転軸（21）を所定位置まで挿入する。挿入した状態で、中空軸（11）の内部へ銅パイプ（41）を挿入させる。この時、ＬＥＤ光源（31）は合成樹脂線材（32）の端面に接近又は軽く接触させた状態にするのが好ましい。その後、導線（46）を用いて、小型モーター（２）のプラス端子とプラス電極用ナット（42）を接続すると共に小型モーター（２）のマイナス端子とマイナス電極用ナット（43）とを接続することにより、図４に示す本考案品が完成するのである。尚、この時、図中の２点鎖線のようにカバー（６）を取付けておくと良い。又、前記合成樹脂線材（32）を用いず、前記ＬＥＤ光源（31）を中空軸（11）の先端に直接取付けたものとしても良い。
【００２２】
図３はＬＥＤ光源（31）の光を複数本の合成樹脂線材（32）で分散させる構造の発光体（３）であり、この場合の取付け作業について説明する。先ず始めに中央の合成樹脂線材（32）の先端を上記同様にして支持部材（７）を介して中空軸（11）の先端から若干突出して固定させる。また残りの合成樹脂線材（32）は、中空軸（11）に予め穿設した穴から１本ずつ出し、その先端を羽根（12）の表面から突出させ且つ接着して固定する。尚、前記合成樹脂線材（32）の代りに、複数のＬＥＤ光源（31）を用い、前記合成樹脂線材（32）と同様に風車体（１）の各所に設置するものとしても良い。尚、本実施形態の風車体（１）で前記小型モーター（２）を回転させて得られる発電能力は、ＬＥＤ光源（31）を５個前後発光させる能力があることが実験結果から確認されている。
【００２３】
次に本考案品の使用方法について説明する。先ず本考案品を家庭で使用する場合について説明する。先ず始めに本考案品をポストに取付ける場合は、風車体（１）が手紙やハガキの出し入れに邪魔にならない箇所に配置させ、小型モーター（２）を適宜箇所に取付部材（５）で固定すれば良い。又、玄関や門柱に取付ける場合は、風車体（１）が目立つ位置に配置させ、小型モーター（２）を柱部分に取付部材（５）で固定すれば良い。一方、本考案品を店舗やアーケードで使用する場合には、小型モーター（２）が取付け易い柱や枠を用意し、その柱や枠に本考案品を複数個取付ければ良い。この時、小型モーター（２）を枠に取付部材（５）で適宜間隔に複数固定すれば良い。
【００２４】
このように本考案品を取付けることにより、風によって風車体（１）が回転し、小型モーター（２）が回転されて発電を行い、その電力でＬＥＤ光源（31）を発光させる。するとＬＥＤ光源（31）の周囲が明るくなると共にその光が前方に配置した合成樹脂線材（32）を通過してその先端から発光されるものとなる。このため、家庭に於いては、ポストに光を生じ、また玄関や門柱に光が生じ、目新しい観賞用カザグルマとなる。一方、店舗やアーケードに於いては、複数の本考案品が風の状態によっていっせいに発光したり、或いは局所的に発光したりするため、点滅装置など使用しなくとも、自然にランダムな点滅を繰返すものとなり、予想しない電飾効果が発揮され、今までにない店構え、街路のアーケードになることにより、人目に付き易くなり、集客効果が期待でき、他の商店街と差別化できるものとなる。しかも、自然エネルギーを利用して自家発電する斬新なカザグルマとなるため、経費が掛らず、誰にでも簡単に設置や管理が行え、且つ見栄えのするものとなる。尚、バッテリーなどを備えておくことにより、昼間の間に充電を行っておけば、夜間の無風の時でも本考案のカザグルマを発光させる機能が備えられるものとなる。
【００２５】
更に本考案を教材として使用する場合には、子供たちによって、予め風車体（１）を作らせ、小型モーター（２）にそれを連結させると共に中空軸（11）に発光体（３）を設けて、本考案品を完成させておく。完成した本考案品を外に出して風に当てるか、或いは扇風機等で風を起こして風車体（１）を回転させる。すると、風車体（１）の回転により小型モーター（２）が回転されると共に発電され、その電力によってＬＥＤ光源（31）が発光される。このＬＥＤ光源（31）の発光を目の前で確認することにより、子供たちに風力発電の原理が体得できるものとなる。従って、大掛りな風力発電の如き装置がなくても本考案品があれば、子供たちに、風力によって電気を起すことが学習でき且つエネルギーの重要性が認識されて、高い学習効果を得ることが可能なものとなる。特に、子供たち自身で本考案品を組立てれば、興味がより強くなり、子供たちを引付けることが可能なものとなるのである。
【符号の説明】
【００２６】
１  風車体
11  中空軸
12  羽根
２  小型モーター
３  発光体
31  ＬＥＤ光源
32  合成樹脂線材
【図１】
0003159761.tif 000003
【図２】
0003159761.tif 000004
【図３】
0003159761.tif 000005
【図４】
0003159761.tif 000006